(57)【要約】【課題】漏洩伝送路と電波の送受信を行うもので確実に空間ダイバーシティ効果を得る。【解決手段】回転台３１と、長手方向に周期的に変動する漏洩伝送路からの受信電力の極大値と極小値との間隔と同じ間隔を開けて回転台の回転面に配置された１対のアンテナ３２ａ，３２ｂと、回転台を回転制御する回転台制御部３４と、１対のアンテナから使用するアンテナを選択するアンテナ切替部３３と、各アンテナが受信する電波の受信レベルを判定するレベル判定部３６と、回転台の回転角度を切替えつつ、使用したアンテナ及びレベル判定部が判定した受信レベルを対応付けて記憶する記憶部３７を備え、記憶部に記憶した情報に基づいて所定の受信レベルが得られる角度に回転台を合わせ、使用するアンテナを選択して漏洩伝送路に対する電波の送受信を行う。【選択図】      図５
2007110384.tif 000002
【特許請求の範囲】
【請求項１】
回転台と、
長手方向に周期的に変動する漏洩伝送路からの受信電力の極大値と極小値との間隔の奇数倍の間隔を開けて前記回転台の回転面に配置された１対のアンテナと、
この１対のアンテナから使用するアンテナを選択するアンテナ切替部を備え、
前記回転台の回転面を前記漏洩伝送路に向けて電波の送受信を行うことを特徴とするアンテナ装置。
【請求項２】
回転台と、
長手方向に周期的に変動する漏洩伝送路からの受信電力の極大値と極小値との間隔の奇数倍の間隔を開けて前記回転台の回転面に配置された１対のアンテナと、
前記漏洩伝送路に回転面を向けた前記回転台を回転制御する回転台制御部と、
前記１対のアンテナから使用するアンテナを選択するアンテナ切替部と、
前記各アンテナが受信する前記漏洩伝送路からの電波の受信レベルを判定するレベル判定部と、
前記回転台の回転角度を切替えつつ、使用したアンテナ及び前記レベル判定部が判定した受信レベルを対応付けて記憶する記憶部を備え、
前記記憶部に記憶した情報に基づいて所定の受信レベルが得られる角度に前記回転台を合わせ、前記漏洩伝送路に対する電波の送受信を行うことを特徴とするアンテナ装置。
【請求項３】
回転台と、
前記回転台の回転面に配置された１対のアンテナと、
この１対のアンテナの間隔をそれぞれ異なる周波数のもとでの長手方向に周期的に変動する漏洩伝送路からの受信電力の極大値と極小値との間隔の奇数倍に合わせて設定した間隔情報に基づいて可変する可変手段と、
前記漏洩伝送路に回転面を向けた前記回転台を回転制御する回転台制御部と、
使用するアンテナを切替えるアンテナ切替部と、
前記各アンテナが受信する前記漏洩伝送路からの電波の受信レベルを判定するレベル判定部と、
前記回転台の回転角度を切替えつつ、使用したアンテナ及び前記レベル判定部が判定した受信レベルを対応付けて記憶する記憶部を備え、
前記記憶部に記憶した情報に基づいて所定の受信レベルが得られる角度に前記回転台を合わせ、前記漏洩伝送路に対する電波の送受信を行うことを特徴とするアンテナ装置。
【請求項４】
回転台と、
互いの間隔をそれぞれ異なる周波数のもとでの長手方向に周期的に変動する漏洩伝送路からの受信電力の極大値と極小値との間隔の奇数倍に合わせて前記回転台の回転面に配置した３個以上のアンテナと、
前記各アンテナから使用するアンテナを選択するアンテナ切替部を備え、
前記回転台の回転面を前記漏洩伝送路に向けて電波の送受信を行うことを特徴とするアンテナ装置。
【請求項５】
回転台と、
互いの間隔をそれぞれ異なる周波数のもとでの長手方向に周期的に変動する漏洩伝送路からの受信電力の極大値と極小値との間隔の奇数倍に合わせて前記回転台の回転面に配置した３個以上のアンテナと、
前記漏洩伝送路に回転面を向けた前記回転台を回転制御する回転台制御部と、
前記各アンテナから周波数に応じて１対のアンテナを選択し、この１対のアンテナからさらに使用するアンテナを選択するアンテナ切替部と、
選択された１対のアンテナが受信する前記漏洩伝送路からの電波の受信レベルを判定するレベル判定部と、
前記回転台の回転角度を切替えつつ、使用したアンテナ及び前記レベル判定部が判定した受信レベルを対応付けて記憶する記憶部を備え、
前記記憶部に記憶した情報に基づいて所定の受信レベルが得られる角度に前記回転台を合わせ、前記漏洩伝送路に対する電波の送受信を行うことを特徴とするアンテナ装置。
【発明の詳細な説明】
【技術分野】
【０００１】
本発明は、空間ダイバーシティ方式を使用したアンテナ装置に関する。
【背景技術】
【０００２】
無線通信において障害物等によりフェージング現象が生じると通信品質が劣化する。このような通信品質の劣化を防止する方式として空間ダイバーシティ方式がある。従来、空間ダイバーシティ方式を使用したアンテナ装置としては、回転台の上に１個のアンテナを配置し、このアンテナが受信した受信レベルをレベル判定器で判定し、受信レベルが所定値に達していなければ回転台を回転してアンテナを移動させ、受信レベルが所定値に達するアンテナの位置を見つけるというものが知られている（例えば、特許文献１参照）。
【特許文献１】特開平１１−２７４８３５号公報
【発明の開示】
【発明が解決しようとする課題】
【０００３】
しかし、このような１個のアンテナの位置を移動させるアンテナ装置を漏洩伝送路との間で電波の送受信を行うアンテナ装置として使用すると、漏洩伝送路では、長手方向に受信電力が周期的に変動するという特性があるため、所定値以上の受信レベルの位置を見つけてその位置にアンテナを固定しても、少しでも位置を移動すると受信レベルが大きく変動して所定値以下になるため、再度所定値以上の受信レベルの位置を見つける作業をしなければならなくなり、安定した電波の受信ができないという問題があった。  
本発明は、漏洩伝送路との間で電波の送受信を行うものにおいて、移動しても常に安定した電波の受信ができ、確実に空間ダイバーシティ効果を得ることができるアンテナ装置を提供する。
【課題を解決するための手段】
【０００４】
本発明は、回転台と、長手方向に周期的に変動する漏洩伝送路からの受信電力の極大値と極小値との間隔の奇数倍の間隔を開けて回転台の回転面に配置された１対のアンテナと、この１対のアンテナから使用するアンテナを選択するアンテナ切替部を備え、回転台の回転面を漏洩伝送路に向けて電波の送受信を行うアンテナ装置にある。
【発明の効果】
【０００５】
本発明によれば、漏洩伝送路との間で電波の送受信を行うものにおいて、移動しても常に安定した電波の受信ができ、確実に空間ダイバーシティ効果を得ることができるアンテナ装置を提供できる。
【発明を実施するための最良の形態】
【０００６】
以下、本発明の実施の形態を、図面を参照して説明する。  
（第１の実施の形態）
図１は全体の構成を示すブロック図で、１は無線端末装置、２はこの無線端末装置１に一体的に接続した無線ＬＡＮカード、３はこの無線ＬＡＮカード２に接続した本発明を構成するアンテナ装置である。
【０００７】
前記無線端末装置１は無線ＬＡＮカード２を駆動し、アンテナ装置３を介して、例えば、基地局（図示せず）と通信を行うが、その場合に、基地局に接続した漏洩同軸ケーブル等の漏洩伝送路（図示せず）を介して通信を行うようになっている。すなわち、前記アンテナ装置３は漏洩伝送路と電波の送受信を行うようになっている。前記アンテナ装置３は、図２に示すように、例えば、円板形の回転台３１の回転面に１対のアンテナ３２ａ，３２ｂを所定の間隔ｄ1をあけて配置している。この回転台３１は図中矢印で示す方向に回転するようになっている。
【０００８】
ところで、図３に示すように、信号発生源１１から漏洩伝送路１２に所定の周波数の信号を送信すると、前記漏洩伝送路１２から距離ｄx離れた漏洩伝送路１２の長手方向に沿った測定位置１３における受信電力の分布を示すと図４に示すようになる。すなわち、受信電力は周期的に極大値と極小値を交互に繰り返すようになる。この極大値と極小値の中間値を示すと図中点線で示すレベルＬ1になる。
【０００９】
そこで、この測定位置１３に前記１対のアンテナ３２ａ，３２ｂを漏洩伝送路１２と並行にして配置した場合に、いずれかのアンテナが必ず中間値以上の受信電力を得るようにするには、１対のアンテナ３２ａ，３２ｂの間隔ｄ1を受信電力の極大値と極小値との間隔Ｔ1の奇数倍に設定すれば、一方のアンテナの受信電力が中間値レベルＬ1よりも低いときにはもう一方のアンテナの受信電力は必ず中間値レベルＬ1よりも大きくなる。
【００１０】
すなわち、図４に示すように、１対のアンテナ３２ａ，３２ｂの間隔ｄ1をＴ1に設定すると、一方のアンテナ３２ａの受信電力が極大値の位置Ｐa1にあるときにはもう一方のアンテナ３２ｂの受信電力が極小値の位置Ｐb1にある。そして、１対のアンテナ３２ａ，３２ｂの位置が漏洩伝送路１２との平行を保持した状態で長手方向にずれた場合、一方のアンテナ３２ａが位置Ｐa2になるともう一方のアンテナ３２ｂが位置Ｐb2になり、一方のアンテナ３２ａが位置Ｐa3になるともう一方のアンテナ３２ｂが位置Ｐb3になる。
【００１１】
そして、一方のアンテナの受信電力が中間値レベルＬ1よりも低いときにはもう一方のアンテナの受信電力は必ず中間値レベルＬ1よりも大きくなるという関係は１対のアンテナ３２ａ，３２ｂの間隔ｄ1を３×Ｔ1に設定しても同様である。  
このように、１対のアンテナ３２ａ，３２ｂの間隔ｄ1を受信電力の極大値と極小値との間隔Ｔ1の奇数倍、例えば、１倍のｄ1＝Ｔ1に設定している。
【００１２】
前記アンテナ装置３は、図５に示すように、前記１対のアンテナ３２ａ，３２ｂのいずれのアンテナを使用するかを前記回転台３１に設けたアンテナ切替部３３によって選択するようになっている。そして、前記回転台３１を回転台制御部３４によって回転制御するようになっている。
【００１３】
前記アンテナ切替部３３によって選択されたアンテナ（３２ａ又は３２ｂ）からの受信信号を受信機３５によって復調し、レベル判定部３６に供給している。前記レベル判定部３６は、受信信号のレベルを判定し、アンテナの角度調整時には判定した結果を記憶部３７に記憶し、通信時には判定した受信レベルが所望レベルＬ2（≧Ｌ1）以上のとき受信信号を前記無線ＬＡＮカード２の送受信部２１に送信する。前記無線ＬＡＮカード２は制御部本体２２によって前記送受信部２１を制御し、前記送受信部２１が受信した信号を前記無線端末装置１へ送信することになる。
【００１４】
アンテナの角度調整時には、前記回転台３１を回転面が漏洩伝送路と平行になるように配置し、この状態で回転台制御部３４により回転台３１を所定角度ずつ回転し、回転する毎に前記アンテナ切替部３３は１対のアンテナ３２ａ，３２ｂを切替えてそれぞれのアンテナによる受信を行い、前記レベル判定部３６はそれぞれのアンテナにおける受信レベルを判定する。そして、前記記憶部３７は、回転台３１の回転角度、使用したアンテナとそのときにレベル判定部３６が判定した受信レベルを対応付けて記憶する。
【００１５】
こうして、回転台３１が１回転したタイミングで、前記記憶部３７に記憶した情報に基づいて充分な受信レベルが得られる角度に回転台３１の角度を調整し、使用するアンテナをアンテナ切替部３３で選択する。このとき、１対のアンテナ３２ａ，３２ｂは漏洩伝送路の長手方向に略平行になる。この状態で無線端末装置は基地局とアンテナ装置３及び漏洩伝送路を経由して無線通信を行うことになる。
【００１６】
このような構成においては、先ず、アンテナ装置３を漏洩伝送路に対して回転台３１の回転面が平行になるように配置する。この状態で回転台制御部３４は回転台３１の回転角度を初期値にセットし、漏洩伝送路からの電波を受信する。まず、アンテナ切替部３３はアンテナ３２ａを選択し、漏洩伝送路からの電波をアンテナ３２ａで受信する。アンテナ３２ａでの受信信号は受信機３５で復調されてレベル判定部３６でレベル判定され、記憶部３７に記憶される。すなわち、このときの回転台３１の回転角度、アンテナ３２ａのレベル判定値が記憶される。
【００１７】
続いて、アンテナ切替部３３はアンテナ３２ｂを選択し、漏洩伝送路からの電波をアンテナ３２ｂで受信する。アンテナ３２ｂでの受信信号は受信機３５で復調されてレベル判定部３６でレベル判定され、記憶部３７に記憶される。すなわち、このときの回転台３１の回転角度、アンテナ３２ｂのレベル判定値が記憶される。
【００１８】
続いて、回転台制御部３４は回転台３１を所定角度回転する。そして、同様に、先ず、アンテナ３２ａを選択し、このアンテナ３２ａでの受信レベルをレベル判定部３６で判定して記憶部３７に回転台３１の回転角度とともにレベル判定値が記憶される。次に、アンテナ３２ｂを選択し、このアンテナ３２ｂでの受信レベルをレベル判定部３６で判定して記憶部３７に回転台３１の回転角度とともにレベル判定値が記憶される。
【００１９】
この制御を回転台３１が１回転するまで継続する。その結果、例えば、図６に示すような回転台３１の回転角度と１対のアンテナ３２ａ，３２ｂの受信レベルの関係が得られたとする。すなわち、回転台３１の中心部に近い側のアンテナ３２ａの受信レベルが図中点線で示すように変化し、中心部から遠い側のアンテナ３２ｂの受信レベルが図中実線で示すように変化したとする。
【００２０】
この結果、アンテナ３２ｂを選択したときに受信レベルが図中点線で示す所望レベルＬ2を超える範囲が複数存在することになる。このような場合は、最も広い範囲Ｘの中心の角度ｘ1に回転台３１の回転角度を合わせる。これにより、アンテナ３２ｂの位置が多少ずれても充分な受信レベルが得られることになる。なお、１対のアンテナ３２ａ，３２ｂのいずれにおいても所望レベルＬ2を超える範囲が存在しなかったときには最も高い受信レベルが得られる角度に合わせる。  
こうして、回転台制御部３４は記憶部３７に記憶した情報に基づいて回転台３１の角度をｘ1に合わせることを判定し、回転台３１を角度ｘ1にする制御を行う。これにより、１対のアンテナ３２ａ，３２ｂは漏洩伝送路の長手方向に沿って略平行に配置されるようになる。また、アンテナ切替部３３は漏洩伝送路と高い受信レベルのもとで電波の送受信ができるアンテナ３２ｂを選択する。こうして、無線端末装置１は無線ＬＡＮカード２を制御し、アンテナ装置３と漏洩伝送路との電波の送受信を介して基地局と通信を行うことになる。
【００２１】
そして、回転台３１の角度を固定してアンテナ装置３を漏洩伝送路との略平行状態を保持した状態で長手方向に移動させることがあるとアンテナ３２ｂの受信レベルが変化する。そして、移動によってはアンテナ３２ｂの受信レベルが大きく低下し受信レベルが中間値レベルＬ1よりも低下することが生じる。しかし、１対のアンテナ３２ａ，３２ｂの間隔ｄ1を漏洩伝送路からの受信電力の極大値と極小値との間隔Ｔ1に設定しているので、もう一方のアンテナ３２ａは受信レベルが中間値レベルＬ1以上になる。このときには、移動した地点においてアンテナ切替部３３でアンテナ３２ａを選択すればよい。  
このように、移動しても１対のアンテナ３２ａ，３２ｂの何れかを使用することで常に安定した電波の受信ができる。すなわち、確実に空間ダイバーシティ効果を得ることができる。
【００２２】
（第２の実施の形態）
なお、前述した実施の形態と同一の部分には同一の符号を付し、詳細な説明は省略する。  
この実施の形態のアンテナ装置３は、図７に示すように、回転台３１の中央にリニアステージ３８を設け、このリニアステージに１対のアンテナ３２ａ，３２ｂをスライド自在に設けている。
【００２３】
そして、図８に示すように、前記各アンテナ３２ａ，３２ｂを前記回転台３１に設けたアンテナ位置制御部３９によってリニアステージ３８を駆動することでスライド制御してその位置を調整できるようになっている。前記アンテナ位置制御部３９は、図９に示すような、無線通信周波数Ｆ1、Ｆ2、Ｆ3の情報に対応してそれぞれ間隔ｄ11、ｄ12、ｄ13の情報を設定したメモリ３９ａを設けている。
【００２４】
前記間隔ｄ11、ｄ12、ｄ13は各アンテナ３２ａ，３２ｂ間の間隔を決める情報であり、図４に示す極大値と極小値との間隔Ｔ1に相当するものである。すなわち、漏洩伝送路における極大値と極小値との間隔Ｔ1は無線通信周波数が変化すれば変化することは知られている。ここでは、基地局が無線端末装置と通信する無線通信周波数がＦ1、Ｆ2、Ｆ3の３種類有り、それに対応して、アンテナ位置制御部３９のメモリ３９ａに、無線通信周波数Ｆ1、Ｆ2、Ｆ3に対する、漏洩伝送路における極大値と極小値との間隔に合わせて各アンテナ３２ａ，３２ｂの間隔ｄ11、ｄ12、ｄ13を設定している。
【００２５】
前記アンテナ位置制御部３９に対して、無線ＬＡＮカード２の制御部本体２２から無線通信周波数を知らせる制御信号を供給する。すなわち、無線通信周波数がＦ1、Ｆ2、Ｆ3のいずれになっているかを知らせる。前記アンテナ位置制御部３９は無線ＬＡＮカード２から制御信号を受信すると、通知された無線通信周波数に従って前記メモリ３９ａから該当する間隔情報を読出し、その間隔情報に基づいてリニアステージ３８を駆動し前記各アンテナ３２ａ，３２ｂの間隔を調整する。  
その他の構成は前述した第１の実施の形態と同様である。
【００２６】
このような構成においては、最初にアンテナ位置制御部３９が無線ＬＡＮカード２から制御信号を受信することで無線通信周波数が知らされる。例えば、無線通信周波数がＦ2であればメモリ３９ａから間隔ｄ12の情報を読み出す。そして、リニアステージ３８を駆動し、各アンテナ３２ａ，３２ｂの間隔がｄ12になるようにアンテナを移動させる。
【００２７】
アンテナ３２ａ，３２ｂの間隔がｄ12に調整されると、アンテナ３２ａ，３２ｂをその位置に固定する。そして、前述した第１の実施の形態と同様に、漏洩伝送路に対して回転台３１の回転面が平行になるように配置し、回転台３１の回転角度を初期値にセットし、漏洩伝送路からの電波を受信する。そして、アンテナ切替部３３でアンテナ３２ａを選択し、漏洩伝送路からの電波をアンテナ３２ａで受信し、その受信レベルをレベル判定部３６で判定して結果を記憶部３７に記憶する。続いて、アンテナ切替部３３でアンテナ３２ｂを選択し、漏洩伝送路からの電波をアンテナ３２ｂで受信し、その受信レベルをレベル判定部３６で判定して結果を記憶部３７に記憶する。
【００２８】
以降、回転制御部３４で回転台３１を所定角度回転しつつ、アンテナ切替部３３でアンテナ３２ａ，３２ｂを切替え、それぞれのアンテナのそれぞれの角度での受信レベルをレベル判定部３６で判定し、結果を記憶部３７に記憶する動作を行う。
【００２９】
そして、最終的に、回転台制御部３４は記憶部３７の情報に基づいて回転台３１をどの回転角度にするかを判定し、回転台３１をその回転角度に調整する。これにより、１対のアンテナ３２ａ，３２ｂは漏洩伝送路の長手方向に沿って平行に配置されるようになる。また、アンテナ切替部３３は記憶部３７の情報に基づいてどちらのアンテナを選択するかを判定し、アンテナの切替え制御を行う。
【００３０】
また、無線ＬＡＮカード２から使用する無線通信周波数がＦ1であることが通知されたときには、メモリ３９ａから間隔ｄ11の情報を読み出す。そして、リニアステージ３８を駆動し、各アンテナ３２ａ，３２ｂの間隔がｄ11になるようにアンテナを移動させる。そして、アンテナ３２ａ，３２ｂを固定する。そして、以下同様の制御を行い、最終的に受信レベルの良好な回転台３１の角度と使用するアンテナを選択する。
【００３１】
このように、３種類の無線通信周波数に合わせて１対のアンテナ３２ａ，３２ｂの間隔を自動的に調整することができる。従って、汎用性を向上することができる。  
また、１対のアンテナ３２ａ，３２ｂが漏洩伝送路の長手方向に略平行になるように回転台３１の回転角度を調整し、この状態で常に受信レベルの高い方のアンテナを選択して漏洩伝送路との間の電波の送受信を行う。従って、この実施の形態においても前述した実施の形態と同様に、移動しても１対のアンテナ３２ａ，３２ｂの何れかを使用することで常に安定した電波の受信ができ、確実に空間ダイバーシティ効果を得ることができる効果が得られるものである。  
なお、この実施の形態では使用する無線通信周波数を３種類としたがこれに限定するものではなく、２種類でも、また、４種類以上であってもよい。
【００３２】
（第３の実施の形態）
なお、前述した実施の形態と同一の部分には同一の符号を付し、詳細な説明は省略する。  
この実施の形態のアンテナ装置３は、図１０に示すように、回転台３１の回転面に、例えば、３個のアンテナ３２ｃ，３２ｄ，３２ｅを配置している。
【００３３】
前記各アンテナ３２ｃ，３２ｄ，３２ｅは、例えば、アンテナ３２ｃとアンテナ３２ｄとの間隔を、無線通信周波数Ｆ1を使用したときの漏洩伝送路の極大値と極小値の間隔に合わせてｄ11に設定している。また、アンテナ３２ｃとアンテナ３２ｅとの間隔を、無線通信周波数Ｆ2を使用したときの漏洩伝送路の極大値と極小値の間隔に合わせてｄ12に設定している。また、アンテナ３２ｄとアンテナ３２ｅとの間隔を、無線通信周波数Ｆ3を使用したときの漏洩伝送路の極大値と極小値の間隔に合わせてｄ13に設定している。
【００３４】
そして、図１１に示すように、前記回転台３１に配置した各アンテナ３２ｃ，３２ｄ，３２ｅをアンテナ切替部４０によって切替え制御するようにしている。前記アンテナ切替部４０は、図１２に示すような、無線通信周波数Ｆ1、Ｆ2、Ｆ3の情報に対応してそれぞれ使用するアンテナの情報を設定したメモリ４０ａを設けている。すなわち、メモリ４０ａには、無線通信周波数Ｆ1のときにはアンテナ３２ｃ，３２ｄを使用し、無線通信周波数Ｆ2のときにはアンテナ３２ｃ，３２ｅを使用し、無線通信周波数Ｆ3のときにはアンテナ３２ｄ，３２ｅを使用する情報が設定されている。
【００３５】
前記アンテナ切替部４０に対して、無線ＬＡＮカード２の制御部本体２２から通信周波数を知らせる制御信号を供給する。すなわち、通信周波数がＦ1、Ｆ2、Ｆ3のいずれになっているかを知らせる。前記アンテナ切替部４０は無線ＬＡＮカード２から制御信号を受信すると、通知された通信周波数に従って前記メモリ４０ａから該当するアンテナ情報を読出し、そのアンテナ情報に基づいて使用するアンテナを決定するようになっている。  
その他の構成は前述した第１の実施の形態と同様である。
【００３６】
このような構成においては、最初にアンテナ切替部４０が無線ＬＡＮカード２から制御信号を受信することで通信周波数が知らされる。例えば、通信周波数がＦ2であればメモリ４０ａからアンテナ３２ｃ，３２ｅを使用するアンテナとする情報を読み出す。そして、アンテナ装置３を漏洩伝送路に対して回転台３１の回転面が平行になるように配置する。この状態で回転台３１の回転角度を初期値にセットし、漏洩伝送路からの電波を受信する。
【００３７】
先ず、アンテナ切替部３３でアンテナ３２ｃを選択し、漏洩伝送路からの電波をアンテナ３２ｃで受信し、その受信レベルをレベル判定部３６で判定して結果を記憶部３７に記憶する。続いて、アンテナ切替部３３でアンテナ３２ｅを選択し、漏洩伝送路からの電波をアンテナ３２ｅで受信し、その受信レベルをレベル判定部３６で判定して結果を記憶部３７に記憶する。
【００３８】
以降、回転制御部３４で回転台３１を所定角度回転しつつ、アンテナ切替部３３でアンテナ３２ｃ，３２ｅを切替え、それぞれのアンテナのそれぞれの角度での受信レベルをレベル判定部３６で判定し、結果を記憶部３７に記憶する動作を行う。
【００３９】
そして、最終的に、回転台制御部３４は記憶部３７の情報に基づいて回転台３１をどの回転角度にするかを判定し、回転台３１をその回転角度に調整する。これにより、アンテナ３２ｃ，３２ｅは漏洩伝送路の長手方向に沿って平行に配置されるようになる。また、アンテナ切替部３３は記憶部３７の情報に基づいてアンテナ３２ｃ，３２ｅのいずれを選択するかを判定し、アンテナの切替え制御を行う。
【００４０】
また、無線ＬＡＮカード２から使用する無線通信周波数がＦ3であることが通知されたときには、メモリ４０ａからアンテナ３２ｄ，３２ｅを使用するアンテナとする情報を読み出す。そして、以下同様の制御を行い、最終的に受信レベルの良好な回転台３１の角度と使用するアンテナを選択する。
【００４１】
このように、回転台３１に３つのアンテナ３２ｃ，３２ｄ，３２ｅを、アンテナ３２ｃと３２ｄの間隔、アンテナ３２ｃと３２ｅの間隔及びアンテナ３２ｄと３２ｅの間隔がそれぞれ無線通信周波数Ｆ1，Ｆ2，Ｆ3を使用したときの漏洩伝送路からの受信レベルの極大値と極小値との間隔に合うように、ｄ11，ｄ12，ｄ13に設定して配置しているので、使用する無線通信周波数によって使用する１対のアンテナの組み合わせを容易に選択することができる。
【００４２】
そして、選択した１対のアンテナが漏洩伝送路の長手方向に略平行になるように回転台３１の回転角度を調整し、この状態で常に受信レベルの高い方のアンテナを選択して漏洩伝送路との間の電波の送受信を行う。従って、この実施の形態においても前述した実施の形態と同様に、移動しても１対のアンテナの何れかを使用することで常に安定した電波の受信ができ、確実に空間ダイバーシティ効果を得ることができる効果が得られるものである。
【００４３】
なお、この実施の形態では使用する無線通信周波数を３種類としたがこれに限定するものではなく、２種類でも、また、４種類以上であってもよい。そして、使用する無線通信周波数の種類数に応じて回転台３１に配置するアンテナの数は変更されることになる。  
なお、前述した各実施の形態は回転台を回転台制御部で回転制御するようにしたが、回転台を手動で回転するものであってもよい。
【図面の簡単な説明】
【００４４】
【図１】本発明の第１の実施の形態に係る全体構成を示すブロック図。
【図２】同実施の形態におけるアンテナの配置構成を示す斜視図。
【図３】漏洩伝送路と受信レベル測定位置の関係を示す図。
【図４】受信レベル測定位置における受信電力の分布を示す図。
【図５】同実施の形態における要部構成を示すブロック図。
【図６】同実施の形態における回転台の回転角度と１対のアンテナの受信レベルの変化の関係を示すグラフ。
【図７】本発明の第２の実施の形態に係るアンテナの配置構成を示す斜視図。
【図８】同実施の形態における要部構成を示すブロック図。
【図９】同実施の形態におけるアンテナ位置制御部のメモリ構成を示す図。
【図１０】本発明の第３の実施の形態に係るアンテナの配置構成を示す斜視図。
【図１１】同実施の形態における要部構成を示すブロック図。
【図１２】同実施の形態におけるアンテナ切替部のメモリ構成を示す図。
【符号の説明】
【００４５】
３１…回転台、３２ａ，３２ｂ…アンテナ、３３…アンテナ切替部、３４…回転台制御部。
【図１】
2007110384.tif 000003
【図２】
2007110384.tif 000004
【図３】
2007110384.tif 000005
【図４】
2007110384.tif 000006
【図５】
2007110384.tif 000007
【図６】
2007110384.tif 000008
【図７】
2007110384.tif 000009
【図８】
2007110384.tif 000010
【図９】
2007110384.tif 000011
【図１０】
2007110384.tif 000012
【図１１】
2007110384.tif 000013
【図１２】
2007110384.tif 000014